(57)【要約】      （修正有）【課題】内蔵電池等を必要としない、身の回り品の施錠に好適な錠前システムを提供する。【解決手段】錠前装置１は、ＲＦＩＤタグ２と無線通信するためのアンテナ１１、常時オフ状態にあり制御部１５から指令を受けてアンテナ１１から受信した電波から識別情報を取り出す無線検出部１２、ＬＥＤや液晶表示装置を含んだ表示部１３、開錠情報として用いる識別番号を記憶保持する記憶部１４、識別情報が一致した場合に解除信号を出力する制御部１５、開錠信号の送出時間を規定するタイマ１６、外部電源端子１０と接続され錠前装置１の各部に電力を供給する電源部１８、不正開錠を検出した場合に警報音を出力するスピーカ１９、機械要素でロックされるとともに制御部１５からの制御によって開錠される錠前機構部２０から構成される。この錠前装置１は、外部電源装置３０と接続した状態でＲＦＩＤタグを近づけることで開錠することができる。【選択図】図１
2006274762.tif 000002
【特許請求の範囲】
【請求項１】
ＲＦＩＤ（Ｒａｄｉｏ  Ｆｒｅｑｕｅｎｃｙ  ＩＤｅｎｔｉｆｉｃａｔｉｏｎ）タグから開錠用の識別情報を読み取る無線検出部と、
開錠情報を保持する記憶部と、
機械要素により施錠するロック機構と、
制御部からの制御によって前記ロック機構を解除する解除機構と、
前記開錠情報と対応する開錠用の識別情報を受信した場合に、前記解除機構を作動させる制御部と、
外部電源装置から電力の供給を受けるための外部電源端子と、を備え、
少なくとも前記無線検出部と制御部とが前記外部電源装置によって作動すること、
を特徴とする錠前装置。
【請求項２】
更に、前記外部電源装置の通信部から開錠用の識別情報を受信する手段を備え、
前記制御部は、前記ＲＦＩＤタグからの識別情報に代えて、前記外部電源装置から開錠用の識別情報を受信した場合も、前記解除機構を作動させること、
を特徴とする請求項１に記載の錠前装置。
【請求項３】
更に、前記制御部による制御によらずに、前記ロック機構が解除されたことを検知し、所定の報知動作を実行する不正解除報知部を備えたこと、
を特徴とする請求項１又は２に記載の錠前装置。
【請求項４】
前記ロック機構は、巻き取り機構によって供給されるロック用ワイヤと、該ロック用ワイヤの先端を繋止する繋止機構によって構成され、
更に、前記巻き取り機構は、前記ロック用ワイヤの自動巻取り機能を備えること、
を特徴とする請求項３に記載の錠前装置。
【請求項５】
前記無線検出部は、常時オフ状態にあり、
前記制御部は、前記ロック機構がロック状態にあり、かつ、所定の錠前解除操作が行われることによって、前記無線検出部を、前記オフ状態から開錠用の識別情報を読み取り可能なオン状態に変更すること、
を特徴とする請求項１乃至４いずれか一に記載の錠前装置。
【請求項６】
前記制御部は、前記解除機構の作動状態を一定時間保持すること、
を特徴とする請求項１乃至５いずれか一に記載の錠前装置。
【請求項７】
更に、前記解除機構の作動状態を表示する表示部を備えたこと、
を特徴とする請求項１乃至６いずれか一に記載の錠前装置。
【請求項８】
開錠用の識別情報を保持する記憶部と、
請求項２乃至７いずれか一に記載の錠前装置と通信する通信部と、
所定の錠前解除操作によって、前記開錠用の識別情報を送信する制御部と、を備えたこと、
を特徴とする外部電源装置。
【請求項９】
所定の通信インターフェイスを介して前記開錠用の識別情報を書換え可能としたこと、を特徴とする請求項８に記載の外部電源装置。
【請求項１０】
請求項１乃至７いずれか一に記載の錠前装置と請求項８又は９に記載の外部電源装置とからなる錠前システム。
【発明の詳細な説明】
【技術分野】
【０００１】
本発明は、錠前システムに関し、特に、ＲＦＩＤ（Ｒａｄｉｏ  Ｆｒｅｑｕｅｎｃｙ  ＩＤｅｎｔｉｆｉｃａｔｉｏｎ；以下、ＲＦＩＤという）タグ技術を利用した錠前システムに関する。
【背景技術】
【０００２】
シリンダー錠等の機械的な構成に加えて、電子的な錠前を備えたものが知られている。例えば、特許文献１には、受信電波を電源として用いるパッシブ型のＲＦＩＤタグを用い、ＲＦＩＤタグから個人情報を読み取って開錠可能とした施錠開錠システムが紹介されている。また、特許文献１の施錠開錠システムでは、鍵として用いるＲＦＩＤタグを読み取るスキャナの電源として、家庭用電源を用いることが開示されている。このようなＲＦＩＤタグを鍵として利用することにより簡単かつ安全性の高い錠前装置を得ることができ、また、ＲＦＩＤタグを衣服や装飾品に取り付けておけば、鍵を紛失することも防止できる。
【特許文献１】実用新案登録第３０３４５３７号公報
【発明の開示】
【発明が解決しようとする課題】
【０００３】
しかしながら、ＲＦＩＤタグを利用した錠前装置を、身の回りの物に取り付けることとした場合、ＲＦＩＤタグを読み取る装置側の電源を確保する必要がある。錠前装置側に電池を内蔵すれば、電源を確保できるが、電池が消耗した場合に解除できなくなったり、逆に施錠できなくなったりしてしまうという不都合が生じる。
【０００４】
本発明は、上記した事情に鑑みてなされたものであって、その目的とするところは、安定した施錠・開錠操作を行うことができ、身の回り品の施錠に好適な錠前システムを提供することを目的とする。
【課題を解決するための手段】
【０００５】
本発明の第１の視点によれば、ＲＦＩＤタグから開錠用の識別情報を読み取る無線検出部と、開錠情報を保持する記憶部と、機械要素により施錠するロック機構と、制御部からの制御によって前記ロック機構を解除する解除機構と、前記開錠情報と対応する開錠用の識別情報を受信した場合に、前記解除機構を作動させる制御部と、外部電源装置から電力の供給を受けるための外部電源端子と、を備えた錠前装置が提供される。この錠前装置の少なくとも前記無線検出部と制御部は、前記外部電源装置からの電源によって作動し、前記外部電源装置を接続した状態でＲＦＩＤタグを近づけることで開錠することが可能となる。
【０００６】
また、本発明の第２の視点によれば、上記した構成に加えて、前記外部電源装置の通信部から開錠用の識別情報を受信する通信手段を備え、前記外部電源装置から開錠用の識別情報を受信した場合にも、前記制御部が前記解除機構を作動させる錠前装置と、該錠前装置に前記開錠用の識別情報を送信できるようにした外部電源装置が提供される。この錠前装置は、前記ＲＦＩＤタグを用いずとも開錠することが可能となる。
【発明の効果】
【０００７】
本発明によれば、ＲＦＩＤタグ技術を利用し簡便かつ安全性の高い錠前システムであって、しかも身の回り品の施錠に好適な錠前システムが得られる。
【発明を実施するための最良の形態】
【０００８】
続いて、本発明を実施するための最良の形態について、図面を参照して詳細に説明する。図１は、本発明の第１の実施形態に係る錠前システムの構成を表した図である。図１を参照すると、錠前システムは、ＲＦＩＤタグ２を鍵とする錠前装置１と、錠前装置１の外部電源装置３０とから構成される。
【０００９】
ＲＦＩＤタグ２は、ＲＦ−Ｄタグ、無線ＩＣタグ、無線タグ、電子タグ、ＩＣタグ、ｔｒａｎｓｐｏｎｄｅｒなどとも呼ばれる無線ＩＣチップである。ＲＦＩＤタグ２は、無線を使って識別情報（ＩＤ）の読み出し、書き込みができるＩＣチップと該チップに接続されたアンテナから構成される。また、ＲＦＩＤタグには、上述したパッシブ型と、自ら電源を備えて識別情報を送出可能とするアクティブ型とがあるが、どちらでも良い。
【００１０】
錠前装置１は、上記ＲＦＩＤタグ２と無線通信するためのアンテナ１１、常時オフ状態にあり制御部１５から指令を受けてアンテナ１１から受信した電波から識別情報を取り出す無線検出部１２、ＬＥＤや液晶表示装置を含んだ表示部１３、開錠情報として用いる識別番号を記憶保持する記憶部１４、錠前装置の各部を制御するとともに後述する開錠処理を行う制御部１５、開錠信号の送出時間を規定するタイマ１６、不正に開錠されたことを検出する不正解除検出部１７、不正解除検出部１７に供給する予備電源を備えるとともに、外部電源端子１０と接続され、錠前装置１の各部に電力を供給する電源部１８、不正開錠を検出した場合に警報音を出力するスピーカ１９、錠前機構部２０から構成される。
【００１１】
錠前機構部２０は、ワイヤ２５の先端に取り付けられた掛止金具２４を掛止孔２７に押し込んで施錠するワイヤロックタイプとなっている。施錠時は、掛止金具２４を掛止孔２７に押し込むと、掛止金具２４の先端の傘状部が、スプリングにより付勢されたロックバー２１の繋止端２１ａを押し上げた後にロックされる。電源を調達できない場合でも、ロックだけは可能になっている。
【００１２】
また、錠前機構部２０には、制御部１５からの解除信号により動作される解除バー２２、スプリングにより付勢された解除ボタン２３が備えられている。解除バー２２には、解除ボタン２３の先端部に適合する穴２２ａが設けられており、解除バー２２を図Ｘ方向に移動させた状態で、解除ボタン２３を図Ｙ方向に押しこむことが可能となっている。解除ボタン２３の中間部には、ロックバー２１のピン２１ｂと当接するカムが形成されており、解除ボタン２３を押し込むことで、掛止金具２４を繋止するロックピン２１を解放側に移動させ、掛止孔２７底部に備えられたばねの力により掛止金具２４を排出することが可能となっている。
【００１３】
また、制御部１５と、解除ボタン２３の先端部及び掛止金具２４先端の傘状部が接する繋止孔２７の側壁部は、それぞれ電気的に接続されており（図１のｊ１、ｊ３参照）、繋止金具２４が繋止孔２７に挿入されている状態で、解除ボタン２３は、ロックバー２１、繋止金具２４と電気的に接続された状態となる。従って、制御部１５において、繋止金具２４が挿入された状態で解除ボタン２３が押下されたことを検知可能な構成となっている。
【００１４】
不正解除検出部１７と、巻き取り機構２６及び掛止金具２４先端の傘状部が接する繋止孔２７の側壁部も、それぞれ電気的に接続されており（図１のｊ２、ｊ３参照）、繋止金具２４が繋止孔２７に挿入されたロック状態で閉路が形成されている。従って、不正解除検出部１７において、ワイヤ２５或いはワイヤ２５に併設された導体に微弱電流を流すことで電位変化の発生等によりワイヤ２５が破断されたこと、或いは、掛止金具２４が外れたことを検知可能な構成となっている。
【００１５】
巻き取り機構２６は、ばね等によって付勢されたワイヤ巻き取りリールを含んで構成されており、解放状態にあるワイヤ２５を巻き取り、また、非解放状態にあるワイヤ２５に所定のテンションが掛けることが可能となっている。
【００１６】
外部電源装置３０は、家庭用電源から充電可能な電池パック等を含んで構成された外部電源部３１、錠前装置１と通信するための通信部３２、ＲＦＩＤタグ２と同一の識別情報（ＩＤ）を記憶保持可能な記憶部３３、スイッチＳｗが閉じられたときに、記憶部３３から識別情報（ＩＤ）を読み出して錠前装置１の制御部１５に送信する制御部３４、ＵＳＢ等のパーソナルコンピュータ４０との通信手段３５を備えて構成されている。
【００１７】
パーソナルコンピュータ４０は、外部電源装置３０と通信するための通信インタフェース４１と、ＲＦＩＤタグ２への書き込み手段を備えている。例えば、ＲＦＩＤタグ２を紛失した際に、未使用のＲＦＩＤタグ２に識別情報（ＩＤ）を書き込む際や、外部電源装置３０の記憶部３３に識別情報（ＩＤ）を転送する際に使用される。
【００１８】
続いて、上記構成からなる錠前システムにおけるＲＦＩＤタグ２を用いた開錠操作について説明する。まず、外部電源装置３０のコネクタを錠前装置１の外部電源端子１０に接続した状態で、解除ボタン２３の押下が行われたことをトリガとして、制御部１５は、オフ状態にある無線検出部１２を作動させ、ＲＦＩＤタグ２からの識別情報（ＩＤ）を読み取り可能な状態にする。
【００１９】
この状態で、利用者が錠前装置１にＲＦＩＤタグ２を近づけると、錠前装置１のアンテナ１１及び無線検出部１２でＲＦＩＤタグ２の識別番号（ＩＤ）が読み取られ、制御部１５に送信される。制御部１５は、記憶部１４に記憶保持されている識別番号と照合し、正当性を確認する。なお、ＲＦＩＤタグ２又は記憶部１４に記憶保持されている識別番号に所定の演算が行われている場合には、制御部１５にこれらの逆演算を行わせてから照合することで、送信された識別情報（ＩＤ）の正当性を確認することができる。
【００２０】
ここで、送信された識別情報（ＩＤ）の正当性が確認されれば、制御部１５は、錠前機構部２０に開錠信号を送信し、解除バー２２を解除方向Ｘへ動作させる。解除バー２２が解除位置に移動した状態で、解除ボタン２３が操作されると、ロックバー２１が開放方向に戻され、掛止金具２４を自動排出される。更に、掛止金具２４が外れると、巻き取り機構２６がワイヤ２５を巻き取って収納する。
【００２１】
以上のとおり、本実施形態に係る錠前装置は、開錠ボタン２３を押下した状態で、ＲＦＩＤタグ２を近づけるという簡便な動作で開錠することが可能となっている。また、解除ボタン２３の押下されていないときや、繋止金具２４が繋止孔２７に挿入されていないアンロック状態にあるときは、無線検出部１２はオフ状態にあるため、外部電源装置３０の電力消費も抑制される。
【００２２】
続いて、上記構成からなる錠前システムにおける外部電源装置３０のみを用いた開錠操作について説明する。まず、外部電源装置３０のコネクタを錠前装置１の外部電源端子１０に接続した状態で、外部電源装置３０のスイッチを図Ｚ方向に押下すると、外部電源装置３０の制御部３４が起動し、記憶部３３から識別情報（ＩＤ）を読み出して錠前装置１の制御部１５に送信する。
【００２３】
錠前装置１の制御部１５は、外部電源装置３０から受信した識別情報（ＩＤ）と、記憶部１４に記憶保持されている識別番号と比較し、一致すれば、上述したＲＦＩＤタグ２を使用した開錠動作を実行する。
【００２４】
以上のとおり、本実施形態に係る錠前装置は、ＲＦＩＤタグ２を紛失した場合においても、外部電源装置３０を用いて開錠することが可能となっている。
【００２５】
なお、外部電源装置３０の記憶部３３に識別情報（ＩＤ）を記憶させておく必要は無く、ＲＦＩＤタグ２を紛失した場合にのみ、パーソナルコンピュータ４０から識別情報（ＩＤ）を転送し開錠することとしてもよい。また、パーソナルコンピュータ４０を用いてＲＦＩＤタグ２に識別情報（ＩＤ）を書き込むこととしてもよい。このように、本実施形態に係る外部電源装置３０は一種のマスターキーとして使用することができる。
【００２６】
続いて、上記構成からなる錠前システムにおいて、ワイヤ２５がニッパー、ワイヤカッター等で切断された場合の動作について説明する。制御部１５が送信する解除信号は不正解除検出部１７に入力されるようになっている。解除信号が入力されていない状態でワイヤ２５が切断されると、不正解除検出部１７は、ワイヤが破断されたものと判定し、電源部１８の予備電源を利用してスピーカ１９に警報音を出力させる。
【００２７】
以上のとおり、本実施形態に係る錠前装置は、不正な方法により開錠された場合、警報音を出力し周囲に注意を喚起することが可能となっている。
【００２８】
［実施例１］  
続いて、本発明に係る錠前システムを鞄に適用した具体例について説明する。図２は、本発明に係る錠前装置を内蔵したアタッシュケースの斜視図であり、図３は、その使用態様を表した図である。図２を参照すると、アタッシュケースの取っ手近傍に、解除ボタン２３、表示部を構成する赤色のＬＥＤ１３ｒ、緑色のＬＥＤ１３ｇ、繋止孔２７、外部電源端子１０、巻取り機構２６により、自由に引き出し可能なワイヤ２５及び繋止金具２４が配されている。
【００２９】
例えば図３のように、電車内の網棚にアタッシュケースを置き、手すりにワイヤ２５を通した状態で施錠することができる。この状態から外部電源端子１０に外部電源装置３０（不図示）を接続すると、常時オン状態にある無線検出部（不図示）が、ＲＦＩＤタグ２からの識別情報（ＩＤ）を読み取る。
【００３０】
このアタッシュケースに内蔵されている制御部（不図示）は、識別番号（ＩＤ）を読み取り、番号の一致を認識した後、所定時間開錠信号を出力し続ける。そして、開錠信号の出力中は、制御部は、緑色のＬＥＤ１３ｇを連続点灯させ、繋止金具２４を引き抜き可能状態にあることを知らせる。また、開錠信号の出力が終わると、制御部は、赤色のＬＥＤ１３ｒを点灯させ、繋止金具２４を引き抜き不可能状態になったことを知らせる。
【００３１】
このように錠前機構部の作動保持状態を所定時間保持するとともに、その状態を視認可能とすることで、片手で解除ボタンを押し、ＲＦＩＤタグを近づけた後、ＬＥＤにて確認し余裕を持って、錠前を解除することが可能となる。例えば、開錠信号の出力時間を１０〜１５秒とすれば、ＲＦＩＤタグが装着された携帯電話やカードを近づけ認識番号の認識を終えた後、これらをポケット等にしまってから、解除ボタン２３を押下してロックの解除を行うことが可能となる。
【００３２】
このように、本実施例では、常時オンタイプの無線検出部を用いることで、一連の開錠動作を速やかに行うことが可能となっている。なお、所有者が席を離れる場合は、外部電源装置３０が接続されたままの状態になることも考えられるが、所有者のＲＦＩＤタグを入手しない限り、開錠することは不可能であり、アタッシュケース等の置き忘れによる盗難、置き引き防止策としても有効である。また、暫く降車や車内の移動をしないのであれば、外部電源装置３０を取り外しておけば良い。
【００３３】
なお、上記具体例では錠前装置が内蔵されている例を示したが、本発明に係る錠前装置を後付け、外付けする構成を採ることもできる。図４は、鞄に後付けするタイプの錠前装置の例である。図４を参照すると、解除ボタン２３、赤色ＬＥＤ１３ｒ、緑色ＬＥＤ１３ｇ、繋止孔２７、外部電源端子１０、巻取り機構２６、ワイヤ２５を収納した後付け型の錠前装置が示されている。図４に示された錠前装置の構成からも明らかなように、応用範囲は鞄に限らず、取り付け箇所を確保でき相応の強度がある物品であればあらゆるものに取り付けが可能である。
【００３４】
以上本発明の好適な実施形態及びその具体例を説明したが、本発明の技術的範囲は、上述した実施形態及びその具体例に限定されるものではなく、前記外部電源装置と接続した状態でＲＦＩＤタグを近づけることで機械要素でロックされたロック機構を開錠可能とするという本発明の要旨を逸脱しない範囲で、各種の変形・置換をなしうることが可能であることはいうまでもない。例えば、上記した実施の形態では、ワイヤロックタイプの錠前機構を用いるものとして説明したが、その他の錠前にも適用可能である。
【図面の簡単な説明】
【００３５】
【図１】本発明の第１の実施形態に係る錠前システムの構成を表した図である。
【図２】本発明の一実施例に係る鞄である。
【図３】図２の鞄の使用態様を表した図である。
【図４】本発明の別の実施例に係る鞄である。
【符号の説明】
【００３６】
１  錠前装置
２  ＲＦＩＤタグ
１０  外部電源端子
１１  アンテナ
１２  無線検出部
１３  表示部
１３ｒ  ＬＥＤ（赤）
１３ｇ  ＬＥＤ（緑）
１４  記憶部
１５  制御部
１６  タイマ
１７  不正解除検出部
１８  電源部
１９  スピーカ
２０  錠前機構部
２１  ロックバー
２１ａ  繋止端
２１ｂ  ピン
２２  解除バー
２２ａ  穴
２３  解除ボタン
２４  掛止金具
２５  ワイヤ
２６  巻き取り機構
２７  掛止孔
３０  外部電源装置
３１  外部電源部
３２  通信部
３３  記憶部
３４  制御部
３５  通信手段
４０  パーソナルコンピュータ
４１  通信インタフェース
【図１】
2006274762.tif 000003
【図２】
2006274762.tif 000004
【図３】
2006274762.tif 000005
【図４】
2006274762.tif 000006